【手続補正書】
【提出日】平成18年1月6日(2006.1.6)
【手続補正１】
【補正対象書類名】明細書
【補正対象項目名】特許請求の範囲
【補正方法】変更
【補正の内容】
【特許請求の範囲】
【請求項１】
電流供給線と、
ソース電極が発光素子と電気的に接続され、ドレイン電極が前記電流供給線と電気的に接続され、ゲート電極に映像信号が入力されるトランジスタと、
前記映像信号に基づく電圧を前記トランジスタのゲート・ソース間電圧に設定する手段と、
前記設定された電圧を保持する電圧保持手段とを有することを特徴とする表示装置。
【請求項２】
発光素子に電流を供給する電流供給線と、
ソース電極が前記発光素子と電気的に接続され、ドレイン電極が前記電流供給線と電気的に接続され、ゲート電極から映像信号が入力されるトランジスタと、
前記映像信号に基づく電圧を前記トランジスタのゲート・ソース間電圧に設定する手段と、
前記設定された電圧を保持する電圧保持手段とを有することを特徴とする表示装置。
【請求項３】
発光素子に電流を供給する電流供給線と、
ソース電極が発光素子と電気的に接続され、ドレイン電極が前記電流供給線と電気的に接続され、ゲート電極に映像信号が入力されるトランジスタと、
第１の電極が前記トランジスタのソース電極に接続され、第２の電極が電源線に接続されたスイッチング素子と、
前記トランジスタのゲート・ソース間電圧を保持する電圧保持手段とを有することを特徴とする表示装置。
【請求項４】
映像信号に基づく電圧を保持する電圧保持手段と、
前記電圧保持手段とスイッチング素子を介して電気的に接続された電源線と、
ソース電極が発光素子と電気的に接続され、ドレイン電極が電流供給線と電気的に接続され、ゲート電極が前記電圧保持手段を介して前記ソース電極と電気的に接続されたトランジスタとを有し、
前記電圧保持手段は前記映像信号の電位と前記電源線の電位との電位差を保持し、且つ前記トランジスタのゲート・ソース間電圧を制御し、
前記トランジスタのゲート・ソース間電圧に基づく電流が前記電流供給線から前記発光素子に供給されることを特徴とする表示装置。
【請求項５】
発光素子と、
前記発光素子の一方の電極にソース電極が接続されるトランジスタと、
前記トランジスタのソース電極とゲート電極との間に接続される容量素子と、
前記トランジスタのドレイン電極に接続される電流供給線とを有することを特徴とする表示装置。
【請求項６】
トランジスタと、スイッチング素子と、容量素子と、電流供給線と、電源線とを有し、
前記トランジスタのドレイン電極は前記電流供給線と電気的に接続され、
前記トランジスタのソース電極は前記スイッチング素子を介して前記電源線と電気的に接続され、なおかつ前記ソース電極は発光素子と電気的に接続され、
前記トランジスタのゲート電極は前記容量素子を介して前記ソース電極と電気的に接続され、
前記ゲート電極に映像信号が入力されることを特徴とする表示装置。
【請求項７】
発光素子と、スイッチング素子と、容量素子と、トランジスタと、電流供給線と、電源線とを有し、
前記トランジスタのドレイン電極は前記電流供給線と電気的に接続され、
前記トランジスタのソース電極は前記スイッチング素子を介して前記電源線と電気的に接続され、なおかつ前記ソース電極は前記発光素子と電気的に接続され、
前記トランジスタのゲート電極は前記容量素子を介して前記ソース電極と電気的に接続され、
前記ゲート電極に映像信号が入力されることを特徴とする表示装置。
【請求項８】
第１及び第２のスイッチング素子と、トランジスタと、容量素子と、発光素子とを有し、
前記第１のスイッチング素子の第１の電極はソース信号線と、且つ第２の電極は前記トランジスタのゲート電極とそれぞれ電気的に接続され、
前記トランジスタの第１の電極は前記第２のスイッチング素子の第１の電極及び、前記発光素子の第１の電極と、且つ第２の電極は電流供給線とそれぞれ電気的に接続され、
前記第２のスイッチング素子の第２の電極は、第１の電源線と電気的に接続され、
前記発光素子の第２の電極は、第２の電源線と電気的に接続され、
前記容量素子は、前記トランジスタのゲート電極と前記トランジスタの第１の電極との間に設けられている画素を有することを特徴とする表示装置。
【請求項９】
第１乃至第３のスイッチング素子と、トランジスタと、容量素子と、発光素子とを有し、
前記第１のスイッチング素子の第１の電極はソース信号線と、且つ第２の電極は前記トランジスタのゲート電極とそれぞれ電気的に接続され、
前記トランジスタの第１の電極は前記第２のスイッチング素子の第１の電極及び、前記発光素子の第１の電極と、且つ第２の電極は電流供給線とそれぞれ電気的に接続され、
前記第２のスイッチング素子の第２の電極は、第１の電源線と電気的に接続され、
前記発光素子の第２の電極は、第２の電源線と電気的に接続され、
前記容量素子は、前記トランジスタのゲート電極と前記トランジスタの第１の電極との間に設けられている画素を有することを特徴とする表示装置。
【請求項１０】
第１乃至第３のスイッチング素子と、トランジスタと、容量素子と、発光素子とを有し、
前記第１のスイッチング素子の第１の電極はソース信号線と、且つ第２の電極は前記トランジスタのゲート電極とそれぞれ電気的に接続され、
前記トランジスタの第１の電極は前記第２のスイッチング素子の第１の電極及び、前記発光素子の第１の電極と、且つ第２の電極は電流供給線とそれぞれ電気的に接続され、
前記第２のスイッチング素子の第２の電極は、第１の電源線と電気的に接続され、
前記発光素子の第２の電極は、第２の電源線と電気的に接続され、
前記容量素子は、前記トランジスタのゲート電極と前記トランジスタの第１の電極との間に設けられ、
前記第３のスイッチング素子の第１の電極は前記トランジスタのゲート電極と、且つ第２の電極は前記トランジスタの第１の電極、前記第２のスイッチング素子の第１の電極及び前記発光素子の第１の電極と、それぞれ電気的に接続されている画素を有することを特徴とする表示装置。
【請求項１１】
第１乃至第３のスイッチング素子と、トランジスタと、容量素子と、発光素子とを有し、
前記第１のスイッチング素子の第１の電極はソース信号線と、且つ第２の電極は前記トランジスタのゲート電極とそれぞれ電気的に接続され、
前記トランジスタの第１の電極は前記第２のスイッチング素子の第１の電極及び、前記発光素子の第１の電極と、且つ第２の電極は電流供給線とそれぞれ電気的に接続され、
前記第２のスイッチング素子の第２の電極は、第１の電源線と電気的に接続され、
前記発光素子の第２の電極は、第２の電源線と電気的に接続され、
前記容量素子は、前記トランジスタのゲート電極と前記トランジスタの第１の電極との間に設けられ、
前記第３のスイッチング素子の第１の電極は前記トランジスタのゲート電極と、且つ第２の電極は前記第１の電源線と電気的に接続されている画素を有することを特徴とする表示装置。
【請求項１２】
請求項８乃至請求項１１のいずれか一において、
前記トランジスタの導電型がＮチャネル型であるとき、前記電流供給線の電位Ｖ１、前記第１の電源線の電位Ｖ２、前記第２の電源線の電位Ｖ３はＶ１＞Ｖ２、かつＶ１＞Ｖ３であることを特徴とする表示装置。
【請求項１３】
請求項８乃至請求項１２のいずれか一において、
前記第１の電源線の電位Ｖ２、前記第２の電源線の電位Ｖ３はＶ２＜Ｖ３であることを特徴とする表示装置。
【請求項１４】
請求項８乃至請求項１１のいずれか一において、
前記トランジスタの導電型がＰチャネル型であるとき、前記電流供給線の電位Ｖ１、前記第１の電源線の電位Ｖ２、前記第２の電源線の電位Ｖ３はＶ１＜Ｖ２、かつＶ１＜Ｖ３であることを特徴とする表示装置。
【請求項１５】
請求項８乃至請求項１２、請求項１４のいずれか一において、
前記第１の電源線の電位Ｖ２、前記第２の電源線の電位Ｖ３はＶ２＞Ｖ３であることを特徴とする表示装置。
【請求項１６】
ソース信号線と、ゲート信号線と、電流供給線と、第１乃至第３のトランジスタと、容量素子と、発光素子とを有する画素がマトリクス状に設けられた表示装置であって、
前記第１のトランジスタのゲート電極は前記ゲート信号線と電気的に接続され、第１の電極は前記第２のトランジスタの第１の電極及び前記発光素子の第１の電極と電気的に接続され、第２の電極は第１の電源線、及び当該画素を含まない行に設けられたゲート信号線のいずれかと電気的に接続され、
前記第２のトランジスタのゲート電極は、前記第３のトランジスタの第１の電極と電気的に接続され、第２の電極は、前記電流供給線と電気的に接続され、
前記第３のトランジスタのゲート電極は、前記ゲート信号線と電気的に接続され、第２の電極は、前記ソース信号線と電気的に接続され、
前記発光素子の第２の電極は第２の電源線と電気的に接続され、
前記容量素子は前記第２のトランジスタのゲート電極と前記第２のトランジスタの第１の電極との間に設けられていることを特徴とする表示装置。
【請求項１７】
ソース信号線と、第１及び第２のゲート信号線と、電流供給線と、第１乃至第３のトランジスタと、容量素子と、発光素子とを有する画素がマトリクス状に設けられた表示装置であって、
前記第１のトランジスタのゲート電極は前記第１のゲート信号線と電気的に接続され、第１の電極は前記第２のトランジスタの第１の電極及び前記発光素子の第１の電極と電気的に接続され、第２の電極は第１の電源線、並びに当該画素を含まない行に設けられた第１のゲート信号線及び第２のゲート信号線のいずれかと電気的に接続され、
前記第２のトランジスタのゲート電極は、前記第３のトランジスタの第１の電極と電気的に接続され、第２の電極は、前記電流供給線と電気的に接続され、
前記第３のトランジスタのゲート電極は、前記第２のゲート信号線と電気的に接続され、第２の電極は、前記ソース信号線と電気的に接続され、
前記発光素子の第２の電極は第２の電源線と電気的に接続され、
前記容量素子は前記第２のトランジスタのゲート電極と前記第２のトランジスタの第１の電極との間に設けられていることを特徴とする表示装置。
【請求項１８】
ソース信号線と、第１乃至第３のゲート信号線と、電流供給線と、第１乃至第４のトランジスタと、容量素子と、発光素子とを有する画素がマトリクス状に設けられた表示装置であって、
前記第１のトランジスタのゲート電極は、前記第１のゲート信号線と電気的に接続され、第１の電極は、前記第２のトランジスタの第１の電極及び前記発光素子の第１の電極と電気的に接続され、第２の電極は、第１の電源線、当該画素を含まない行に設けられた第１乃至第３のゲート信号線、並びに当該画素を含む行に設けられた第２のゲート信号線及び第３のゲート信号線のいずれかと電気的に接続され、
前記第２のトランジスタのゲート電極は前記第３のトランジスタの第１の電極と電気的に接続され、第２の電極は前記電流供給線と電気的に接続され、
前記第３のトランジスタのゲート電極は前記第２のゲート信号線と電気的に接続され、第２の電極は前記ソース信号線と電気的に接続され、
前記発光素子の第２の電極は第２の電源線と電気的に接続され、
前記容量素子は、前記第２のトランジスタのゲート電極と前記第２のトランジスタの第１の電極との間に設けられ、
前記第４のトランジスタのゲート電極は前記第３のゲート信号線と電気的に接続され、第１の電極は前記第２のトランジスタのゲート電極と電気的に接続され、第２の電極は前記第２のトランジスタの第１の電極、前記第１のトランジスタの第２の電極及び前記第２の電源線のいずれかと電気的に接続されていることを特徴とする表示装置。
【請求項１９】
ソース信号線と、第１及び第２のゲート信号線と、電流供給線と、第１乃至第４のトランジスタと、容量素子と、発光素子とを有する画素がマトリクス状に設けられた表示装置であって、
前記第１のトランジスタのゲート電極は前記第１のゲート信号線と電気的に接続され、第１の電極は前記第２のトランジスタの第１の電極及び前記発光素子の第１の電極と電気的に接続され、第２の電極は第１の電源線、当該画素を含まない行に設けられた第１のゲート信号線及び第２のゲート信号線、並びに当該画素を含む行に設けられた第２のゲート信号線のいずれかと電気的に接続され、
前記第２のトランジスタのゲート電極は、前記第３のトランジスタの第１の電極と電気的に接続され、第２の電極は前記電流供給線と電気的に接続され、
前記第３のトランジスタのゲート電極は、前記第１のゲート信号線と電気的に接続され、第２の電極は前記ソース信号線と電気的に接続され、
前記発光素子の第２の電極は、第２の電源線と電気的に接続され、
前記容量素子は、前記第２のトランジスタのゲート電極と前記第２のトランジスタの第１の電極との間に設けられ、
前記第４のトランジスタのゲート電極は前記第２のゲート信号線と電気的に接続され、第１の電極は前記第２のトランジスタのゲート電極と電気的に接続され、第２の電極は、前記第２のトランジスタの第１の電極、前記第１のトランジスタの第２の電極、及び前記第２の電源線のいずれかと電気的に接続されていることを特徴とする表示装置。
【請求項２０】
ソース信号線と、第１乃至第３のゲート信号線と、電流供給線と、第１乃至第４のトランジスタと、容量素子と、発光素子とを有する画素がマトリクス状に設けられた表示装置であって、
前記第１のトランジスタのゲート電極は、前記第１のゲート信号線と電気的に接続され、第１の電極は前記第２のトランジスタの第１の電極及び前記発光素子の第１の電極と電気的に接続され、第２の電極は第１の電源線、当該画素を含まない行に設けられた第１乃至第３のゲート信号線、並びに当該画素を含む行に設けられた第２のゲート信号線及び第３のゲート信号線のいずれかと電気的に接続され、
前記第２のトランジスタのゲート電極は前記第３のトランジスタの第１の電極と電気的に接続され、第２の電極は前記電流供給線と電気的に接続され、
前記第３のトランジスタのゲート電極は前記第２のゲート信号線と電気的に接続され、第２の電極は前記ソース信号線と電気的に接続され、
前記発光素子の第２の電極は第２の電源線と電気的に接続され、
前記容量素子は前記第２のトランジスタのゲート電極と前記第２のトランジスタの第１の電極との間に設けられ、
前記第４のトランジスタのゲート電極は前記第３のゲート信号線と電気的に接続され、第１の電極は前記発光素子の第１の電極と電気的に接続され、第２の電極は前記第１のトランジスタの第２の電極と電気的に接続されていることを特徴とする表示装置。
【請求項２１】
ソース信号線と、第１及び第２のゲート信号線と、電流供給線と、第１乃至第４のトランジスタと、容量素子と、発光素子とを有する画素がマトリクス状に設けられた表示装置であって、
前記第１のトランジスタのゲート電極は前記第１のゲート信号線と電気的に接続され、第１の電極は前記第２のトランジスタの第１の電極及び前記発光素子の第１の電極と電気的に接続され、第２の電極は第１の電源線、当該画素を含まない行に設けられた第１のゲート信号線及び第２のゲート信号線、並びに当該画素を含む行に設けられた第２のゲート信号線のいずれかと電気的に接続され、
前記第２のトランジスタのゲート電極は前記第３のトランジスタの第１の電極と電気的に接続され、第２の電極は前記電流供給線と電気的に接続され、
前記第３のトランジスタのゲート電極は前記第１のゲート信号線と電気的に接続され、第２の電極は前記ソース信号線と電気的に接続され、
前記発光素子の第２の電極は第２の電源と電気的に接続され、
前記容量素子は前記第２のトランジスタのゲート電極と前記第２のトランジスタの第１の電極との間に設けられ、
前記第４のトランジスタのゲート電極は前記第２のゲート信号線と電気的に接続され、第１の電極は前記発光素子の第１の電極と電気的に接続され、第２の電極は前記第１のトランジスタの第２の電極と電気的に接続されていることを特徴とする表示装置。
【請求項２２】
ソース信号線と、第１乃至第３のゲート信号線と、電流供給線と、第１乃至第４のトランジスタと、容量素子と、発光素子とを有する画素がマトリクス状に設けられた表示装置であって、
前記第１のトランジスタのゲート電極は前記第１のゲート信号線と電気的に接続され、第１の電極は前記第２のトランジスタの第１の電極及び前記発光素子の第１の電極と電気的に接続され、第２の電極は第１の電源線、当該画素を含まない行に設けられた第１乃至第３のゲート信号線、並びに当該画素を含む行に設けられた第２のゲート信号線及び第３のゲート信号線のいずれかと電気的に接続され、
前記第２のトランジスタのゲート電極は前記第３のトランジスタの第１の電極と電気的に接続され、第２の電極は前記電流供給線と電気的に接続され、
前記第３のトランジスタのゲート電極は前記第２のゲート信号線と電気的に接続され、第２の電極は前記ソース信号線と電気的に接続され、
前記発光素子の第２の電極は第２の電源線と電気的に接続され、
前記容量素子は、前記第２のトランジスタのゲート電極と前記第２のトランジスタの第１の電極との間に設けられ、当該ゲート電極と当該第１の電極との間の電圧を保持し、
前記第４のトランジスタは、前記第２のトランジスタの第２の電極と前記電流供給線との間、又は前記第２のトランジスタの第１の電極と前記発光素子の第１の電極との間に配置され、当該第４のトランジスタのゲート電極は前記第３のゲート信号線と電気的に接続されていることを特徴とする表示装置。
【請求項２３】
ソース信号線と、第１及び第２のゲート信号線と、電流供給線と、第１乃至第４のトランジスタと、容量素子と、発光素子とを有する画素がマトリクス状に設けられた表示装置であって、
前記第１のトランジスタのゲート電極は前記第１のゲート信号線と電気的に接続され、第１の電極は前記第２のトランジスタの第１の電極及び前記発光素子の第１の電極と電気的に接続され、第２の電極は第１の電源線、当該画素を含まない行に設けられた第１のゲート信号線及び第２のゲート信号線、並びに当該画素を含む行に設けられた第２のゲート信号線のいずれかと電気的に接続され、
前記第２のトランジスタのゲート電極は前記第３のトランジスタの第１の電極と電気的に接続され、第２の電極は前記電流供給線と電気的に接続され、
前記第３のトランジスタのゲート電極は前記第１のゲート信号線と電気的に接続され、第２の電極は前記ソース信号線と電気的に接続され、
前記発光素子の第２の電極は第２の電源線と電気的に接続され、
前記容量素子は前記第２のトランジスタのゲート電極と前記第２のトランジスタの第１の電極との間に設けられ、当該ゲート電極と当該第１の電極との間の電圧を保持し、
前記第４のトランジスタは、前記第２のトランジスタの第２の電極と前記電流供給線との間、又は前記第２のトランジスタの第１の電極と前記発光素子の第１の電極との間に配置され、当該第４のトランジスタのゲート電極は前記第２のゲート信号線と電気的に接続されていることを特徴とする表示装置。
【請求項２４】
請求項１６乃至請求項２３のいずれか一において、
前記第１及び第３のトランジスタは同一導電型であることを特徴とする表示装置。
【請求項２５】
請求項１６乃至請求項２４のいずれか一において、
前記第２のトランジスタの導電型がＮチャネル型であるとき、前記電流供給線の電位Ｖ１、前記第１の電源線の電位Ｖ２、前記第２の電源線の電位Ｖ３はＶ１＞Ｖ２、かつＶ１＞Ｖ３であることを特徴とする表示装置。
【請求項２６】
請求項１６乃至請求項２５のいずれか一において、
前記第２のトランジスタの導電型がＮチャネル型であるとき、前記第１の電源線の電位Ｖ２、前記第２の電源線の電位Ｖ３はＶ２＞Ｖ３であることを特徴とする表示装置。
【請求項２７】
請求項１６乃至請求項２４のいずれか一において、
前記第２のトランジスタの導電型がＰチャネル型であるとき、前記電流供給線の電位Ｖ１、前記第１の電源線の電位Ｖ２、前記第２の電源線の電位Ｖ３はＶ１＜Ｖ２、かつＶ１＜Ｖ３であることを特徴とする表示装置。
【請求項２８】
請求項１６乃至請求項２４、及び請求項２７のいずれか一において、
前記第２のトランジスタの導電型がＰチャネル型であるとき、前記第１の電源の電位Ｖ２、前記第２の電源の電位Ｖ３はＶ２＜Ｖ３であることを特徴とする表示装置。
【請求項２９】
請求項８乃至２８のいずれか一において、
前記ソース信号線から映像信号が入力されることを特徴とする表示装置。
【請求項３０】
請求項８乃至請求項２９のいずれか一において、
前記画素に含まれるトランジスタは同一導電型であることを特徴とする表示装置。